(57)【要約】【課題】使用用途に応じた省電力制御を行うこと【解決手段】映像信号に応じて光源６からの光を変調して投射する投射型表示装置１００Ａであって、オフ時間を設定する映像信号処理部３と、映像信号の入力が開始した後で、前記映像信号処理部によって設定されたオフ時間以上の無入力状態となった場合に光源を消灯あるいは、映像信号の入力があるときよりも省電力で駆動する制御部１０と、を有する。【選択図】図２
2015129796.tif 000002
【特許請求の範囲】
【請求項１】
映像信号に応じて光源からの光を変調して投射する投射型表示装置であって、
可変の時間を設定する設定手段と、
前記映像信号の入力が開始した後で、前記映像信号の入力が無い状態が前記設定手段によって設定された時間以上継続した場合、前記光源を消灯あるいは、前記映像信号の入力があるときよりも省電力で駆動する制御手段と、
を有することを特徴とする投射型表示装置。
【請求項２】
前記設定手段は、動作モードに従って前記時間を設定することを特徴とする請求項１に記載の投射型表示装置。
【請求項３】
前記設定手段は、前記動作モードが会議用モードのときの前記時間を前記動作モードが映画鑑賞用モードのときの前記時間よりも長く設定することを特徴とする請求項２に記載の投射型表示装置。
【請求項４】
前記設定手段は、前記映像信号の種類に従って前記時間を設定することを特徴とする請求項１に記載の投射型表示装置。
【請求項５】
前記設定手段は、前記映像信号が動画のときの前記時間を前記映像信号が静止画のときの前記時間よりも長く設定することを特徴とする請求項４に記載の投射型表示装置。
【請求項６】
前記設定手段は、前記映像信号を処理する映像信号処理部であることを特徴とする請求項２または３に記載の投射型表示装置。
【請求項７】
人の有無を検出する第１検出手段を更に有し、
前記設定手段は、前記第１検出手段が前記人を検出しなくなったときに前記時間を短くするように再設定することを特徴とする請求項１乃至６のうちいずれか１項に記載の投射型表示装置。
【請求項８】
照度を検出する第２検出手段を更に有し、
前記設定手段は、前記第２検出手段が所定照度以下の照度を検出したときに前記時間を短くするように再設定することを特徴とする請求項１乃至６のうちいずれか１項に記載の投射型表示装置。
【請求項９】
前記設定手段は、前記時間を任意に設定することを特徴とする請求項１乃至８のうちいずれか１項に記載の投射型表示装置。
【請求項１０】
映像信号に応じて光源からの光を変調して投射する投射型表示装置の制御方法であって、
可変の時間を設定するステップと、
前記映像信号の入力が開始した後で、前記映像信号の入力が無い状態が前記ステップによって設定された時間以上継続した場合、前記光源を消灯あるいは、前記映像信号の入力があるときよりも省電力で駆動するステップと、
を有することを特徴とする投射型表示装置の制御方法。
【発明の詳細な説明】
【技術分野】
【０００１】
本発明は、液晶プロジェクタなどの投射型表示装置およびその制御方法に関する。
【背景技術】
【０００２】
特許文献１は、省電力のために、所定時間以上の映像信号の入力が無入力状態となった場合に、光源への電力供給を停止する投射型表示装置を提案している。
【先行技術文献】
【特許文献】
【０００３】
【特許文献１】特開平２−３１１８８６号公報
【発明の概要】
【発明が解決しようとする課題】
【０００４】
しかしながら、特許文献１は、映像信号が無入力状態となってから光源を消灯するまでの時間は使用目的によって異なるが、特許文献１はこれを考慮しておらず、光源が意図せずに消灯してしまうおそれがある。
【０００５】
本発明は、使用用途に応じた省電力制御を行うことが可能な投射型表示装置とその制御方法を提供することを例示的な目的とする。
【課題を解決するための手段】
【０００６】
本発明の投射型表示装置は、映像信号に応じて光源からの光を変調して投射する投射型表示装置であって、可変の時間を設定する設定手段と、前記映像信号の入力が開始した後で、前記映像信号の入力が無い状態が前記設定手段によって設定された時間以上継続した場合、前記光源を消灯あるいは、前記映像信号の入力があるときよりも省電力で駆動する制御手段と、を有することを特徴とする。
【発明の効果】
【０００７】
本発明によれば、使用用途に応じた省電力制御を行うことが可能な投射型表示装置とその制御方法を提供することができる。
【図面の簡単な説明】
【０００８】
【図１】本発明の投射型表示装置のシステム構成を示すブロック図である。（実施例１）
【図２】図１に示す投射型表示装置のパワーマネージメント制御の初期設定を示すフローチャートである。（実施例１）
【図３】図１に示す投射型表示装置のパワーマネージメント制御のフローチャートである。（実施例１）
【図４】本発明の投射型表示装置のシステム構成を示すブロック図である。（実施例２）
【図５】図４に示す投射型表示装置のパワーマネージメント制御のフローチャートである。（実施例１）
【発明を実施するための形態】
【０００９】
以下、本発明の好ましい実施例を、添付の図面に基づいて詳細に説明する。各実施例において、映像信号の入力が開始した後で、所定時間以上の無入力状態（映像信号の入力が無い状態）になった場合に光源を消灯あるいは省電力駆動する制御を「パワーマネージメント制御」と呼ぶ。
【実施例１】
【００１０】
図１は、実施例１の投射型表示装置１００Ａのシステム構成を示すブロック図である。投射型表示装置１００Ａは、本実施例では液晶プロジェクタとして構成され、映像信号入力部１、同期信号検出部２、映像信号処理部３、液晶駆動部４、バラスト５、光源６、投射レンズ８、電源部９、制御部１０、操作パネル１２、記憶部１１、１３を有する。
【００１１】
パーソナルコンピューター（ＰＣ）などの外部機器からの映像信号は、映像信号入力部１と同期信号検出部２に入力される。映像信号入力部１は、ＶＧＡやＶｉｄｅｏ信号などのアナログ信号をデジタル信号に変換するＡＤ変換や、ＨＤＭＩ（登録商標）やＤＶＩなどのデジタル信号を所定のデジタル信号フォーマットに変換するレシーバを含む。同期信号検出部２は、映像信号から水平同期や垂直同期などの同期信号を分離して取り出す。映像信号入力部１と同期信号検出部２を同一のＩＣで構成してもよい。映像信号入力部１にて変換されたデジタル映像信号および、同期信号検出部２で分離された同期信号は、映像信号処理部３に送られる。
【００１２】
映像信号処理部３は、映像信号処理専用のＤＳＰなどで構成され、入力される映像信号の解像度を読み取り、内部での処理に必要な解像度へ変換するスケーリング処理や、ボタン操作時のメニュー表示や台形補正（キーストン補正）処理などを行う。
【００１３】
また、映像信号処理部３は、同期信号検出部２から入力される同期信号から、映像信号が投射型表示装置１００Ａに入力されているか判断し、映像信号の入力が無い場合には、その旨を使用者に知らせる画像を生成する。
【００１４】
映像信号処理部３には、映像信号の無入力状態の時間を計測する時間計測手段としてのカウンター３ａが設けられている。なお、時間計測手段の構成は限定されない。
【００１５】
映像信号処理部３には記憶部１３が接続されている。記憶部１３は、ＥＥＰＲＯＭやＦＬＡＳＨメモリなどの不揮発性メモリで構成され、各イメージモードにおける色設定データなどが記憶されている。映像信号処理部３は、この色設定データに基づいて、投射映像の色調整も行う。
【００１６】
本実施例では、映像信号処理部３は、可変の時間（後述するオフ時間）を設定する設定手段として機能する。
【００１７】
映像信号処理部３によって所定フォーマットに処理されたデジタル信号は、液晶駆動部４に送られ、光学ユニット７内の液晶パネルを駆動する液晶駆動信号に変換される。液晶駆動信号に基づいて液晶パネルは光源６からの光を変調する光変調素子である。
【００１８】
バラスト５は光源６の電源であり、定電力制御を行うことによって光源６での発光量を一定に保っている。
【００１９】
光学ユニット７は、照明光学系、液晶パネル、色分離部、色合成部などから構成される。光源６からの光は照明光学系にて照度分布が均一化され、色分離部にてＲＧＢ３色に分離される。分離された光はＲＧＢそれぞれの液晶パネルに照射され、映像信号に応じて透過率（反射率）を変える。ＲＧＢそれぞれの透過光（反射光）を色合成部にて合成することにより、映像が生成される。
【００２０】
投射レンズ８は、光学ユニット７で生成された映像を、スクリーン２００へ拡大投射する。
【００２１】
電源部９は、外部から入力されるＡＣ電源をＤＣ電源への変換し、バラスト５あるいは投射型表示装置１００Ａ内の各部に電源供給すると共に、ＰＦＣ回路による力率改善等も行う。
【００２２】
制御部１０は、マイクロコンピュータなどのＣＰＵで構成され、投射型表示装置１００Ａの全般的な制御を行う制御手段である。例えば、バラスト５への制御信号により光源６の点灯・消灯制御、光源６での発光レベルを調整する調光処理、各回路への電源供給制御、あるいは冷却用のＦＡＮ駆動などを行う。その他にも光源６の不点灯や、投射型表示装置１００Ａ内部の温度異常時に、光源６を消灯するなどの終了処理を行い、ＬＥＤなどを点灯するなどによって使用者へ異常を知らせるなどの処理も行う。
【００２３】
制御部１０にも記憶部１１が接続されている。記憶部１１は、ＥＥＰＲＯＭやＦＬＡＳＨメモリなどの不揮発性メモリで構成され、投射型表示装置１００Ａの設定データや、異常発生時の状態記録（エラーコードの記録）などに使用される。
【００２４】
操作パネル１２は、電源ＯＮ／ＯＦＦなどの操作を行うボタンや、投射型表示装置１００Ａの状態を使用者に知らせるＬＥＤなどを有する。
【００２５】
また、ユーザは操作パネル１２で投射型表示装置１００Ａのイメージモード（動作モード）を設定することができる。つまり、操作パネル１２は、イメージモードを入力操作するための操作手段として機能する。イメージモードとしては、スタンダードモード、プレゼン（プレゼンテーション）モード、シアターモード、その他のモードがある。
【００２６】
制御部１０は、操作パネル１２のボタンが押されたことを検知すると、どのボタンが押されたかを判定して、その操作に必要な各部の制御を行う。受光センサを備えて、リモコンにて投射型表示装置１００Ａの操作を行うようにしてもよい。
【００２７】
次に、実施例１における投射型表示装置１００Ａの動作について説明する。
【００２８】
図２は、実施例１のパワーマネージメント制御の初期設定のフローチャートであり、「Ｓ」はステップ（工程）を表す。図２に示すフローチャートは、コンピュータに各手順を実行させるためのプログラムとして具現化可能であり、記憶部１１などに記憶される。これは他のフローチャートにも同様に当てはまる。
【００２９】
操作パネル１２の設定に従って、制御部１０は、映像信号処理部３にパワーマネージメント制御オンのフラグを設定すると共に（Ｓ１０１）、イメージモードに応じて映像信号処理部３にオフ時間を設定させる。具体的には、制御部１０はイメージモードを映像信号処理部３に通知し、映像信号処理部３はイメージモードに対応するオフ時間を記憶部１３から取得して設定する。
【００３０】
ここで、「オフ時間」とは、映像信号が無入力状態となってから光源６の消灯制御を行うまでの時間であり、映像信号の無入力状態がオフ時間以上継続すると光源６の消灯制御が行われる。
【００３１】
表１は、記憶部１３に記憶されている、各イメージモードのオフ時間の設定例を示す。表１に従って、イメージモードがスタンダードの場合は、オフ時間を１５分（Ｓ１０２、Ｓ１０３）、プレゼンモードの場合は１０分（Ｓ１０４、Ｓ１０５）、シネマモードの場合は３分（Ｓ１０６、Ｓ１０７）、にそれぞれ設定している。また、それ以外のイメージモードでは５分に設定している（Ｓ１０８）。
【００３２】
【表１】
2015129796.tif 000003
【００３３】
例えば、会議などでＰＣから映像信号を入力する場合、ＰＣを省電力設定にすると、議論で一定時間ＰＣの操作が無いと映像出力も停止し、光源も消灯してしまう。水銀ランプのような光源では、再点灯から輝度が安定するまでに時間がかかり、会議進行の妨げになりかねない。このように、会議などの使用用途では、オフ時間を長めに設定する必要がある。そこで、本実施例では、会議で設定されるプレゼンモード（会議用モード）では、オフ時間を長めの１０分に設定している。
【００３４】
一方、映画鑑賞でプレーヤーから映像信号を入力する場合、再生停止状態でもプレーヤーのメニュー画面が表示されて映像信号は途切れず、映像信号が途切れる時は、プレーヤーの電源をオフした時などに限られる。つまり、映画鑑賞などの使用用途では、オフ時間を短く設定する必要がある。そこで、本実施例においては、映画鑑賞で設定されるシネマモード（映画鑑賞用モード）では、オフ時間を短めの３分に設定している。
【００３５】
イメージモードの種類やオフ時間の設定値は前記に限定されず、その要旨の範囲内で種々の変更が可能である。オフ時間の設定が終了すると、パワーマネージメント制御の初期設定が終了する。
【００３６】
図３は、パワーマネージメント制御を示すフローチャートである。図３では、映像信号処理部３がパワーマネージメント制御の主要ステップを行うが、映像信号処理部３からの情報に基づいて制御部１０がこれを行ってもよい。例えば、カウンター３ａも制御部１０内に設けてもよい。これは実施例２にも当てはまる。
【００３７】
まず、映像信号が無入力状態になると、同期信号検出部２で同期信号が検出されず、映像信号処理部３へ同期信号が伝送されなくなる。映像信号処理部３は、同期信号の入力が無くなると映像信号が無入力状態と判断し、映像信号が無入力であることを使用者に示す画像を生成し、出力する（Ｓ１１１）。
【００３８】
次に、映像信号処理部３はパワーマネージメント制御の設定がオンになっているかを確認する（Ｓ１１２）。パワーマネージメント制御がオフの場合は、映像信号が無入力であることを知らせる画像をスクリーン２００に投射したまま処理は終了となる。
【００３９】
パワーマネージメント制御の設定がオンの場合、カウンター３ａをゼロにリセットし、時間カウントを開始する（Ｓ１１３）。パワーマネージメント制御を終了する場合、またはカウントがオフ時間に達するまで、カウンター３ａによる時間カウントは継続される。パワーマネージメント制御を終了する場合は、本実施例では、映像信号入力が再開される場合や、操作パネル１２より操作が行われた場合であるが（Ｓ１１４）、これに限定されない。
【００４０】
映像信号入力が再開された場合、あるいは操作パネル１２より操作が行われると、カウンター３ａによる時間カウント動作を終了し、パワーマネージメント制御を終了する（Ｓ１１７）。
【００４１】
映像信号入力の再開および操作が無い状態が続き、時間カウントがオフ時間に達すると、映像信号処理部３は、制御部１０にその情報を伝え、制御部１０は光源６の電源であるバラスト５を介して光源６をオフにする（Ｓ１１６）。その後、パワーマネージメント制御を終了する。
【００４２】
以上の制御によって、イメージモードに応じたパワーマネージメント制御を行うことができ、使用用途に応じて効果的に省電力制御することが可能となる。
【００４３】
本実施例では、各イメージモードによってオフ時間の設定を変えているが、入力する映像信号の種類（例えば、動画と静止画など）に従ってオフ時間を変えてもよい。映像信号の種類は、同期信号検出部２の検出結果によって識別することができる。例えば、映像信号処理部３は、映像信号が動画のときのオフ時間を映像信号が静止画のときのオフ時間よりも長く設定してもよい。
【００４４】
また、Ｓ１１６では、光源６をオフにしているが、発光レベルを通常点灯レベルより下げる省電力駆動を行ってもよい。
【００４５】
更に、本実施例では、映像信号処理部３が予め設定されたオフ時間を自動で選択して設定しているが、ユーザは操作パネル１２を介して自分の好みに合った任意のオフ時間を設定してもよい。
【実施例２】
【００４６】
実施例２は、投射型表示装置１００Ｂの周辺環境に応じてパワーマネージメント制御を行う点で実施例１とは相違する。
【００４７】
図４は、実施例２の投射型表示装置１００Ｂのシステム構成のブロック図であり、図１と同一の部材には同一の参照符号を付している。投射型表示装置１００Ｂは、投射型表示装置１００Ａに人感センサ２０（第１検出手段）を追加している。人感センサ２０は、映像信号処理部３に接続され、投射型表示装置１００Ｂの周辺の人の有無を検知し、その検知結果を映像信号処理部３に伝える。人感センサ２０は、赤外線を使用して人を検出したり、外部の音声を検出することによって人を検出したり、カメラを利用した顔認識によって人を検出するなど構成は限定されない。
【００４８】
図５は、パワーマネージメント制御を示すフローチャートである。図５に示すフローチャートは、図３に示すフローチャートに、Ｓ２０１〜Ｓ２０４を追加している。映像信号が無入力状態になると、映像信号が無入力であることを使用者に示す画像を生成し出力し、パワーマネージメント設定がオンの場合には、カウンターをリセットして時間カウントを開始する（Ｓ１１１〜Ｓ１１３）。
【００４９】
次に、映像信号処理部３は、人感センサ２０から周辺に人がいるかの確認を行う（Ｓ２０１）。周辺に人がいると判断した場合には、時間カウントを行いながら、入力信号の再開または操作が行われたかの確認（Ｓ１１４）、時間カウントがオフ時間に達したかの確認（Ｓ１１５）を続けて行う。
【００５０】
周辺に人がいないと判断されると、オフ時間の再設定を行う（Ｓ２０２）。周辺に人がいない場合には、省力化のためにオフ時間を短くすべきである。そのため、投射型表示装置１００Ｂの周辺に人がいない状態になった場合には、１〜２分程度と短い時間にオフ時間を再設定することが好ましい。
【００５１】
人検出センサの代わりに照度を検出する照度センサ（第２検出手段）を使用してもよい。この場合、映像信号処理部３は、照度センサが所定照度以下の照度を検出したときにオフ時間を短くするように再設定してもよい。
【００５２】
オフ時間を再設定した後は、入力信号の再開あるいは操作が行われる（Ｓ２０３）、または時間カウントが再設定したオフ時間に達する（Ｓ２０４）まで、時間カウントを続ける。入力信号が再開あるいは操作が行われると、時間カウントを終了してパワーマネージメント制御を終了する（Ｓ１１７）。また、時間カウントが再設定したオフ時間に達した場合には、光源６を消灯したり省電力駆動したりするなどを行う（Ｓ１１６）。
【００５３】
以上の制御によって、周辺環境に応じてパワーマネージメント制御を行うことができ、効果的に省電力制御を行うことが可能となる。
【００５４】
以上、本発明の実施例について説明したが、本発明はこれらの実施例に限定されるものではなく、その要旨を逸脱しない範囲内において種々の変形および変更が可能である。
【産業上の利用可能性】
【００５５】
本発明は、液晶プロジェクタの用途に適用可能である。
【符号の説明】
【００５６】
１００Ａ、１００Ｂ…投射型表示装置、３…映像信号処理部（設定手段）、６…光源、１０…制御部（制御手段）
【図１】
2015129796.tif 000004
【図２】
2015129796.tif 000005
【図３】
2015129796.tif 000006
【図４】
2015129796.tif 000007
【図５】
2015129796.tif 000008